(57)【特許請求の範囲】
【請求項１】
端子板と、前記端子板との間に挿入される電線により撓められて前記電線をそれぞれ弾性保持する一対の弾性部材と、前記一対の弾性部材を電線の接続状態を解除する方向に同時に撓ませるための解除部材とを備え、電線を接続する際に前記一対の弾性部材が同一平面内で撓むように前記一対の弾性部材を並べて配置し、前記各弾性部材は、前記端子板に対して揺動自在に取り付けられ揺動方向における一端部と前記端子板との間で電線を挟持する押え片と、前記押え片の揺動方向における一端部を前記端子板に近付く向きに付勢する付勢手段とで構成され、前記各押え片は揺動方向における他端部が隣り合うようにして一列に配置されており、前記解除部材には、前記各押え片の他端部が入り込む凹所が形成され、前記解除部材は、解除操作時に前記各押え片の他端部を前記端子板に近付く向きに押圧することによって、前記各押え片の一端部が前記端子板から離れる方向へ、前記各押え片を揺動させることを特徴とする端子装置。
【発明の詳細な説明】
【０００１】
【発明の属する技術分野】
本発明は、ねじを用いることなく電線を結線することができる端子装置に関するものである。
【０００２】
【従来の技術】
この種の端子装置としては、図２８〜図３０に示すように、電線が接続される端子板９０と、端子板９０との間に電線を弾性保持する一対の鎖錠ばね６０と、一対の鎖錠ばね６０と電線との接続状態を同時に解除する解除釦９２とで構成される所謂速結端子構造の端子装置が従来より提供されている。
【０００３】
端子板９０には、中央片９１ａと、中央片９１ａの一側縁の両端部から延設された側片９１ｂ，９１ｂと、中央片９１ａの他側縁から延設された側片９１ｃとで構成されるコ字状部９１が連続一体に形成されている。
【０００４】
鎖錠ばね６０の鎖錠片６２及び接触片６３は、弾性を有する導電材料の帯板の両端部を曲成することによって、中央片６１の両端部に形成される。鎖錠ばね６０の中央片６１は端子板９０の側片９１ｃに当接し、鎖錠片６２は中央片６１との連結部位から先端縁に向かって端子板９０の側片９１ｂに近付く向きに傾斜する。また、鎖錠ばね６０の接触片６３は略Ｓ字状に曲成されており、鎖錠片６２及び接触片６３が端子板９０の側片９１ｂに対向する。
【０００５】
この端子装置は、図２８に示すように、ボディ１０に設けた端子収納室１２の内部に収納される。ここで、一対の鎖錠ばね６０は、解除釦９２を間に挟んで、鎖錠片６２の撓み方向と略直交する方向に並べて配列されており、解除釦９２には各鎖錠ばね６０の鎖錠片６２とそれぞれ当接する押圧突起９２ａが突設されている。尚、側片９１ｂの下端部には解除釦９２の押圧突起９２ａとの干渉を防止するために切欠９１ｄが形成されている。また、図２９に示すように、端子収納室１２の底面には、鎖錠ばね６０の鎖錠片６２とコ字状部９１の側片９１ｂとの間の部位に対応して電線挿入口１５が開口し、解除釦９２に対応する部位に工具を挿入するための貫通孔１６が開口している。
【０００６】
ここで、この端子装置に電線を接続する際は、端子収納室１２の底面に設けられた電線挿入口１５から電線の被覆が剥かれた芯線を挿入すると、鎖錠ばね６０の鎖錠片６２及び接触片６３とコ字状部９１の側片９１ｂとの間に電線が挿入され、鎖錠片６２の先端が芯線に食い込んで、抜け止めがなされるとともに、鎖錠ばね６０のばね力によって鎖錠片６２及び接触片６３と側片９１ｂとの間で芯線が挟持され、電線と端子板９０とが電気的に接続されるようになっている。したがって、電線挿入口１５から芯線を挿入するだけで、芯線が保持されるとともに、端子板９０への電気的接続がなされるのである。
【０００７】
一方、端子装置に接続された電線を外す場合は、端子収納室１２の底面に設けた貫通孔１６からマイナスドライバーのような工具の先端を挿入して、解除釦９２を図２９中上側に押し上げると、解除釦９２の押圧突起９２ａが鎖錠ばね６０の鎖錠片６２を斜め上側に押し上げ、鎖錠片６２をコ字状部９１の側片９１ｂから離れる方向に撓ませるので、鎖錠片６２が電線の芯線から離れて、電線を容易に引き抜くことができる。尚、各端子装置は鎖錠ばね６０を２個ずつ備えているが、２個の鎖錠ばね６０の内の一方には電源側からの電線が接続され、もう一方には送り用の電線が接続される
【０００８】
【発明が解決しようとする課題】
上記構成の端子装置では、一対の鎖錠ばね６０が、解除釦９２を間にして、鎖錠片６２の撓み方向と略直交する方向に並べて配置されているので、鎖錠片６２の撓み方向と略直交する方向の外形寸法が大きくなり、端子装置の外形寸法が縦横共に大きくなっていた。すなわち、一対の鎖錠ばね６０を鎖錠片６２の撓み方向と略直交する方向に並べて配置すると、図２８に示すように端子装置の外形寸法が縦横共に大きくなって、端子装置を収納するボディ１０の外形寸法が大きくなり、この端子装置を埋込配線用の配線器具に用いる場合には、配線器具の器体を埋込配設するためのスイッチボックス内に配線器具の器体が入らなくなる虞があった。
【０００９】
本発明は上記問題点に鑑みて為されたものであり、その目的とするところは、ねじを用いることなく電線を接続できる薄型の端子装置を提供することにある。
【００１０】
【課題を解決するための手段】
上記目的を達成するために、請求項１の発明では、端子板と、前記端子板との間に挿入される電線により撓められて前記電線をそれぞれ弾性保持する一対の弾性部材と、前記一対の弾性部材を電線の接続状態を解除する方向に同時に撓ませるための解除部材とを備え、電線を接続する際に前記一対の弾性部材が同一平面内で撓むように前記一対の弾性部材を並べて配置し、前記各弾性部材は、前記端子板に対して揺動自在に取り付けられ揺動方向における一端部と前記端子板との間で電線を挟持する押え片と、前記押え片の揺動方向における一端部を前記端子板に近付く向きに付勢する付勢手段とで構成され、前記各押え片は揺動方向における他端部が隣り合うようにして一列に配置されており、前記解除部材には、前記各押え片の他端部が入り込む凹所が形成され、前記解除部材は、解除操作時に前記各押え片の他端部を前記端子板に近付く向きに押圧することによって、前記各押え片の一端部が前記端子板から離れる方向へ、前記各押え片を揺動させることを特徴とし、一対の弾性部材は電線を接続する際に同一平面内で撓むように並べて配置されているので、一対の弾性部材を撓み方向と直交する方向に並べた場合に比べて長さ寸法は長くなるものの厚み寸法を薄くすることができ、端子装置の薄型化を図ることができる。
【００１４】
【発明の実施の形態】
本発明に係る端子装置の基本形態及び実施形態を図面を参照して説明する。
【００１５】
（基本形態１）
本発明に係る端子装置をコンセントのような埋込型配線器具に適用した基本形態について図１〜図１６を参照して説明する。尚、以下の説明では特にことわりがない場合、図２（ａ）の向きにおいて上下左右の方向を規定し、また図２（ａ）における正面を前面という。したがって、図２（ｂ）における上端は後端になる。
【００１６】
コンセントＢの器体１は、合成樹脂製であって前面が開口した箱形のボディ１０と、合成樹脂製であってボディ１０の前面側に被着されるカバー２０とを結合して形成される。ここで、ボディ１０とカバー２０とを結合するには、ボディ１０の前面とカバー２０の後面とを当接させた状態で、ボディ１０の後壁に形成された挿通孔１８を通してボディ１０の後方からタッピングねじを挿入し、カバー２０の後面に設けたねじ孔２３へタッピングねじを螺着すればよい。
【００１７】
カバー２０は、埋込型の配線器具用のプレート枠と略同じ形状に形成されたプレート部２０ａと、プレート部２０ａの後面から連続一体に突設された角筒状の筒部２０ｂとで構成される。
【００１８】
プレート部２０ａの前面には横長の突台部２１が突設されており、この突台部２１には所謂Ｃ型プラグ（図示せず）の円柱状のプラグ本体が前方から嵌合される凹所２４，２４が左右に並べて形成されている。また、プレート部２０ａの前面には、突台部２１を挟んで左右両側に、プレート部２０ａを前面が開口した埋込型ボックスに取り付ける際に使用するねじ（図示せず）が挿通される固定用孔２８が設けられている。
【００１９】
プレート部２０ａに設けた各凹所２４の底面には、それぞれ、一つのプラグに設けた一対の栓刃及び接地極用の栓刃を挿入することができる差込部５０が１口分形成されている。差込部５０は２個の挿入口５１，５１と、挿入口５１とは別に形状の異なる挿入口５２とを備えている。
【００２０】
各挿入口５１は、平型栓刃が差し込まれる平型栓刃挿入口５１ａと、ピン型栓刃が差し込まれるピン型栓刃挿入口５１ｂとを連通させた形状に形成されている。つまり、平型栓刃挿入口５１ａは矩形状であって、長手方向の一端部の一側縁に円形のピン型栓刃挿入口５１ｂが連通した形状になっており、平型栓刃挿入口５１ａの中心間の距離よりも、ピン型栓刃挿入口５１ｂの中心間の距離の方が広くなっている。また、各挿入口５２は接地極用の栓刃（ピン型栓刃）を挿入するものであり、２つの挿入口５１，５１の略中間部の下方に設けてある。尚、図３（ａ）（ｂ）に示すように器体１の内部には挿入口５１を開閉自在に覆う扉体５５が収納されており、扉体５５は中枠５６によって移動自在に支持されている。
【００２１】
また、カバー２０の凹所２４には、後述する接地部材４０の接触片４１，４８をカバー２０の後面側から凹所２４内に引き込むとともに、接触片４１，４８の移動空間を確保するためのスリット２５，２５が形成されている。なお、上側のスリット２５は凹所２４の内側面に形成され、下側のスリット２５は凹所２４の底面と内側面とにわたってＬ字状に形成されている。
【００２２】
一方、ボディ１０の内部は底面から立設された隔壁１１によって複数の収納室に仕切られており、図４（ａ）中の上側部分には端子収納室１２ａ，１２ｂが左右両側に設けられている。また、ボディ１０内部の図４（ａ）中下側部分には接地部材収納室１４ａ，１４ｂが左右両側に設けられ、両収納室１４ａ，１４ｂの間には端子収納室１２ｃが設けられている。さらに、ボディ１０内部の上下方向における中間部分には、４つの刃受ばね収納室１３ａ〜１３ｄが左右方向に並べて設けられている。また、各端子収納室１２ａ〜１２ｃの底面には各一対の電線挿入口１５と貫通孔１６とが貫設されている。なお、貫通孔１６は、ボディ１０の裏面よりも一段低い凹部１７の一端側に開口しており、凹部１７の底面には貫通孔１６から遠ざかるにつれて徐々に外側（後方）に向かって傾斜する傾斜面１７ａが形成されている（図４（ｃ）参照）。
【００２３】
図３（ａ）はカバー２０を外した状態の正面図であり、刃受けばね収納室１３ａ，１３ｃには、平型栓刃又はピン型栓刃に電気的に接続される刃受け部３２がそれぞれ収納されている。刃受け部３２は、互いに対向する一対のばね片３３ａを有し両ばね片３３ａの間に平型栓刃が挿入される平型栓刃用の刃受ばね３３（図１１参照）と、互いに対向する一対のばね片３４ａを有し両ばね片３４ａの間にピン型栓刃が挿入されるピン型栓刃用の刃受ばね３４（図１３参照）とで構成される。そして、両刃受ばね３３，３３の間は連結片３５を介して連続一体に連結されて端子板３１ａを構成しており、端子板３１ａに設けた一対のかしめ片３９にピン型栓刃用の刃受ばね３４がそれぞれかしめ固定されている。
【００２４】
同様に、刃受けばね収納室１３ｂ，１３ｄにも、平型栓刃又はピン型栓刃に電気的に接続される刃受け部３２がそれぞれ収納されている。刃受け部３２は平型栓刃用の刃受ばね３３とピン型栓刃用の刃受ばね３４とで構成され、図１２に示すように平型栓刃用の刃受ばね３３，３３と、両刃受ばね３３，３３の間を連結する連結片３５とは連続一体に形成されて端子板３１ｂを構成している。そして、端子板３１ｂに設けた一対のかしめ片３９に刃受ばね３４がそれぞれかしめ固定されている。この時、カバー２０に設けた平型栓刃挿入口５１ａに挿入される平型栓刃は、刃受ばね３３の一対のばね片３３ａの間で挟持され、ピン型栓刃挿入口５１ｂに挿入されるピン型栓刃は、刃受ばね３４の一対のばね片３４ａの間で挟持される。
【００２５】
ここで、両端子板３１ａ，３１ｂの連結片３５，３５は、それぞれ、端子収納室１２ａ，１２ｂ内に配置される部位の略中間部を凸形に屈曲することによって、鎖錠ばね６０の鎖錠片６２及び接触片６３と対向する端子片３７，３７が背中合わせに形成されており、さらに端子収納室１２ａ，１２ｂの長手方向における両側部分に対応する部位には、鎖錠ばね６０の中央片６１が当接する当接片３８，３８が端子片３７，３７に対向してそれぞれ形成されている。ここに、各連結片３５，３５にそれぞれ設けた各一対の端子片３７及び当接片３８から端子板ブロック３６ａ，３６ｂが構成される。
【００２６】
また、接地部材収納室１４ａ，１４ｂには、それぞれ、挿入口５２から挿入される接地極用の栓刃（ピン型栓刃）に接続される刃受部材４５が収納されている。刃受部材４５は図１５（ａ）〜（ｄ）に示すように互いに対向するＬ字形の一対のばね片４６，４６と、両ばね片４６，４６の間を連結する連結片４７と、連結片４７の上端部から連続一体に延設されＣ型プラグの接地極と接触する略Ｌ字形の接触片４８とを備え、後述の接地部材４０に一体的に連結されている。ここで、刃受部材４５の接触片４８は連結片４７よりも細幅に形成されるとともに連結片４７からの延出方向に沿って凹溝４８ａが形成され可撓性を有するようになっている。
【００２７】
接地部材４０は、図１４（ａ）〜（ｃ）に示すようにボディ１０の上側の側面に沿って配置され左右両側部の前縁からＣ型プラグの接地極と接触する略Ｌ字形の接触片４１が連続一体に延設された支持片４２と、端子収納室１２ｃ内に収納される端子板ブロック４４と、支持片４２と端子板ブロック４４とを連続一体に結合する連結片４３とで構成される。端子板ブロック４４は、連結片４３の下端部の両側縁から連続一体に延設され鎖錠ばね６０の鎖錠片６２及び接触片６３に対向する一対の端子片４４ａ，４４ａと、端子片４４ａ，４４ａに対向配置され鎖錠ばね６０の中央片６１とそれぞれ当接する当接片４４ｃ，４４ｃと、端子片４４ａ，４４ａと当接片４４ｃ，４４ｃとの間をそれぞれ連結する連結片４４ｂ，４４ｂとを連続一体に形成して構成される。ここで、接触片４１は支持片４２との連結部位よりも細幅に形成されるとともに支持片４２からの延出方向に沿って凹溝４１ａが形成され可撓性を有するようになっている。
【００２８】
また、当接片４４ｃ，４４ｃの後端縁からは、接地部材収納室１４ａ，１４ｂ内に配置されるかしめ片４４ｄ，４４ｄが連続一体に延設されており、各かしめ片４４ｄに上述した刃受部材４５の連結片４７がかしめ固定されている。この時、接地部材４０に設けた接触片４１と刃受部材４５に設けた接触片４８とは互いに対向し、先端側が互いに近づく向きに付勢されており、凹所２４の内側面に設けたスリット２５から内方へ突出しているので、器体１の前方からＣ型プラグのプラグ本体が嵌め込まれた時に、プラグ本体の側面に形成された接地極に当接し、外方へ撓んだ状態で接地極と確実に接触するようになっている。
【００２９】
ここで、本基本形態の端子装置Ａは、端子板３１ａ，３１ｂ及び接地部材４０の端子板ブロック３６ａ，３６ｂ，４４と、端子板ブロック３６ａ，３６ｂ，４４に対して一対ずつ設けられた鎖錠ばね６０と、一対の鎖錠ばね６０に対して１個ずつ設けられた解除釦６５とで構成される。各一対の鎖錠ばね６０は、各端子板ブロック３６ａ，３６ｂ，４４の当接片３８，４４ｃに中央片６１を当接させるとともに、各端子板ブロック３６ａ，３６ｂ，４４の端子片３７，４４ａに鎖錠片６２及び接触片６３を対向させた状態で端子収納室１２ａ〜１２ｃ内に配置される。この時、一対の鎖錠ばね６０の鎖錠片６２は互いに対向しており、一対の鎖錠ばね６０の間に解除釦６５が配置される。解除釦６５は、図１６（ａ）〜（ｄ）に示すように合成樹脂により略十字形に形成され、左右の両側面には鎖錠片６２を押圧するための押圧突起６６，６６が突設されている。そして、解除釦６５は各押圧突起６６を鎖錠ばね６０の鎖錠片６２と対向させると共に、下端部を貫通孔１６から外側に突出させた状態で端子収納室１２ａ〜１２ｃの内部に収納される。
【００３０】
この端子装置Ａを用いたコンセントＢを組み立てる際には、先ず端子収納室１２ａ〜１２ｃに解除釦６５と各一対の鎖錠ばね６０とを組み込んだ状態で、刃受け部３２，３２が刃受けばね収納室１３ａ，１３ｃ内に配置されるとともに、端子板ブロック３６ａが端子収納室１２ａ内に配置されるようにして、端子板３１ａをボディ１０内部に収納した後、刃受け部３２，３２が刃受けばね収納室１３ｂ，１３ｄ内に配置されるとともに、端子板ブロック３６ｂが端子収納室１２ｂ内に配置されるようにして、端子板３１ｂをボディ１０内部に収納する。次に刃受部材４５，４５が接地部材収納室１４ａ，１４ｂ内に配置されるとともに、端子板ブロック４４が端子収納室１２ｃ内に配置されるようにして、接地部材４０をボディ１０内部に収納する。そして、ボディ１０の前面側からカバー２０を被着することにより、コンセントＢの組立が完了する。この時、各端子板３１ａ，３１ｂの刃受け部３２はカバー２０の挿入口５１に臨むように配置され、接地部材４０の刃受部材４５はカバー２０の挿入口５２に臨むように配置される。また、接地部材４０の接触片４１，４８はカバー２０の凹所２４内に設けたスリット２５，２５から凹所２４内に突出する。
【００３１】
ここで、この端子装置Ａに電線を接続する際は、端子収納室１２ａ〜１２ｃの底面に設けた電線挿入口１５から電線の被覆が剥かれた芯線を挿入すると、鎖錠ばね６０の鎖錠片６２及び接触片６３と端子片３７，４４ａとの間に電線が挿入され、鎖錠片６２の先端が芯線に食い込んで、抜け止めがなされるとともに、鎖錠ばね６０のばね力によって鎖錠片６２及び接触片６３と端子片３７，４４ａとの間に芯線が挟持され、電線と端子板ブロック３６ａ，３６ｂ，４４とが電気的に接続されるようになっている。したがって、電線挿入口１５から芯線を挿入するだけで、芯線が保持されるとともに、端子板ブロック３６ａ，３６ｂ，４４への電気的接続がなされるのである。
【００３２】
一方、端子装置Ａに接続された電線を外す場合は、一方の手でボディ１０の裏面が上側に向くようにして器体１を持ち、もう一方の手でマイナスドライバーのような工具の平坦な先端面をボディ１０の裏面に設けた傾斜面１７ａに沿わせるようにして凹部１７内に挿入し、工具の先端面を貫通孔１６から外側に突出する解除釦６５の先端部に当接させる。次に器体１を持つ方の手の親指で工具の先端を押さえ、解除釦６５を押し込むと、解除釦６５が図１中の略真上に押し上げられて、解除釦６５の押圧突起６６によって鎖錠片６２が端子片３７，４４ａから離れる向きに撓められるので、鎖錠片６２が電線の芯線から離れ、もう一方の手で電線を容易に引き抜くことができる。尚、各端子装置Ａは鎖錠ばね６０を２個ずつ備えているが、例えば２個の鎖錠ばね６０の内の一方には電源側からの電線が接続され、もう一方には送り用の電線が接続される。
【００３３】
このように、各端子装置Ａの一対の鎖錠ばね６０は、鎖錠片６２を互いに対向させた状態で端子収納室１２ａ〜１２ｃの内部に配置されており、電線を挿入した際に鎖錠片６２が撓む方向が略同じ直線上となるように、一対の鎖錠ばね６０が配置されているので（すなわち一対の鎖錠ばね６０が同一の平面内で撓むので）、従来の端子装置のように鎖錠片６２の撓み方向と略直交する方向に一対の鎖錠ばね６０を並べて配置した場合に比べて、端子装置Ａの長さ寸法は長くなるものの厚み寸法を薄くでき、端子装置Ａの薄型化を図ることができる。
【００３４】
ところで、カバー２０のプレート部２０ａの前面側には、プレート部２０ａの前面を覆って見栄えを良く施工する化粧プレート１００が着脱自在に取り付けられる。プレート部２０ａの４隅には、化粧プレート１００の後面から突設した係止突起１０５を係止するための化粧プレート係止孔２７が設けてあり、化粧プレート係止孔２７に係止突起１０５を挿入係止することでプレート部２０ａの前面を覆う形で化粧プレート１００を着脱自在に取り付けることができるようになっている。
【００３５】
化粧プレート１００は、絶縁性を有する合成樹脂を用いて形成されたものであって、図１０（ａ）〜（ｃ）に示すようにプレート部２０ａの前面を覆う矩形状の主部１０１と、主部１０１の周縁から全周に亙って後方に突出する側壁１０２とを連続一体に形成した略箱形に形成される。主部１０１の中央部にはプレート部２０ａの突台部２１を露出させる開口窓１０３が設けてあり、主部１０１の後面側の４隅には係止突起１０５が突設してある。
【００３６】
而して、プレート部２０ａの化粧プレート係止孔２７に係止突起１０５を挿入係止することによって、プレート部２０ａの前面を覆う形で化粧プレート１００を着脱自在に取り付けることができる。そして、化粧プレート１００をプレート部２０ａに取り付けた状態では、化粧プレート１００に設けた開口窓１０３からプレート部２０ａの突台部２１が前面側に露出する。
【００３７】
また、化粧プレート１００の側壁１０２には一対の切欠部１０４が設けてあり、この切欠部１０４に治具（マイナスドライバの先端部など）を差し込んで化粧プレート１００をプレート部２０ａから離す向きの力を作用させると、化粧プレート１００の係止突起１０５とプレート部２０ａの化粧プレート係止孔２７との係合状態が解除され、化粧プレート１００をプレート部２０ａから取り外すことができる。また、プレート部２０ａの周縁からは、上記切欠部１０４に先端部が収まる薄肉の爪片２６が突設されており、切欠部１０４に差し込んだ治具が爪片２６の前面に当接し、化粧プレート１００をプレート部２０ａから取り外す際に治具によって施工面に傷がつくのを防ぐことができるのである。
【００３８】
（実施形態）
本発明の実施形態を図１７〜図２２を参照して説明する。本実施形態の端子装置を収納する器体１は合成樹脂製のボディ１０とカバー２０とで構成される。
【００３９】
ボディ１０は前面が開口した横長の箱状であって、底面における長手方向の両端部には電線挿入口１５が開口している。ボディ１０の長手方向に沿う一方の側壁の開口縁には、長手方向の略中央部に切欠部１０ａが形成されており、切欠部１０ａの底部からは前方に突出する突片１０ｂが突設されている。
【００４０】
端子装置Ａは、導電材料からなる帯板の両端部を折曲することによってＵ字形に形成され、ボディ１０の内側面に沿うようにしてボディ１０内に収納された端子板７０と、略Ｌ字形のシャフト部７１ａの長辺の先端部（揺動方向における一端部）に端子板７０の中央片７０ａとの間で電線を挟持する挟持部７１ｂが形成され、短辺の先端部を互いに隣り合わせ、挟持部７１ｂを中央片７０ａの両端部と対向させるようにして端子板７０に揺動自在に取り付けられた押え片７１，７１と、各押え片７１を揺動自在に支持するとともに各押え片７１の挟持部７１ｂ側（揺動方向における一端側）を中央片７０ａに近付く向きに付勢する一対の板ばね７２（付勢手段）と、各シャフト部７１ａの短辺の先端部にそれぞれ連結され、各シャフト部７１ａの短辺の先端部（揺動方向における他端部）を中央片７０ａ側に押圧することによって各挟持部７１ｂを中央片７０ａから離れる向きに移動させる解除釦７３とで構成される。
【００４１】
解除釦７３は合成樹脂製であって、図１９に示すように解除釦７３の裏面には各シャフト部７１ａの短辺の先端部が入り込む凹所７３ａ，７３ａが形成されている。また、解除釦７３の表面にはボディ１０の突片１０ｂが入り込む凹所７３ｂが形成されており、端子装置Ａをボディ１０内に収納した場合、解除釦７３の凹所７３ｂがボディ１０の突片１０ｂと当接することによって解除釦７３の抜け止めが為される。
【００４２】
ここで、ボディ１０の底面に設けた電線挿入口１５は、各押え片７１の挟持部７１ｂと端子板７０の中央片７０ａとの間の部位に開口しており、常時は板ばね７２のばね力によって挟持部７１ｂが端子板７０の中央片７０ａ側に付勢されているから、挟持部７１ｂで電線挿入口１５が塞がれている。
【００４３】
而して、この端子装置Ａに電線を接続する際には、解除釦７３を押して挟持部７１ｂを端子板７０の中央片７０ａから遠ざかる向きに移動させた状態で、電線挿入口１５から電線の被覆が剥かれた芯線１１１を挿入し、解除釦７２を押圧する力を無くすと、板ばね７２のばね力によって挟持部７１ｂが端子板７０の中央片７０ａに近付く向きに移動し、挟持部７１ｂと端子板７０の中央片７０ａとの間で電線の芯線１１１が保持される（図２０参照）。ここで、端子板７０の中央片７０ａと対向する挟持部７１ｂの部位には電線挿入方向に沿って複数の鋸歯７１ｃが形成されており、複数の鋸歯７１ｃが電線の芯線１１１と接触することによって、挟持部７１ｂと電線の芯線１１１との間に生じる摩擦力が増大し、電線の保持力を高めることができる。
【００４４】
一方、この端子装置Ａから電線を取り外す際には、解除釦７２を押し込むと、各押え片７１のシャフト部７１ａの短辺の他端部が端子板７０の中央片７０ａに近付く向きに移動するので、挟持部７１ｂが中央片７０ａから遠ざかる向きに各押え片７１が揺動して、電線の接続状態が解除されるから、電線の芯線１１１を容易に取り外すことができる。
【００４５】
（基本形態２）
本発明の基本形態２を図２３〜図２７を参照して説明する。本基本形態の端子装置Ａを収納するボディ１０は合成樹脂製であって、前面が開口した横長の箱状に形成され、底面における長手方向の両端部には電線挿入口１５が開口している。
【００４６】
この端子装置Ａは、導電材料からなる帯板の両端部を折曲することによってＵ字形に形成され、ボディ１０の内側面に沿うようにしてボディ１０内に収納された端子板８０と、端子板８０の両側片８０ａ，８０ａにそれぞれ対向配置され両側片８０ａ，８０ａとの間に電線１１０の芯線１１１を挟持する押え片８１，８１と、一端が各押え片８１に形成された保持穴８１ｃ内にそれぞれ挿入され、各押え片８１を側片８０ａに近付く向きに付勢する一対のコイルばね８２（付勢手段）と、各コイルばね８２の他端にそれぞれ当接し、ボディ１０内部に移動自在に配置された一対の支持板８３と、両支持板８３，８３の間に配置され、ボディ１０に対して回動自在に取り付けられた回転釦８４（解除部材）とで構成され、両コイルばね８２，８２は、回転釦８４及び支持板８３，８３を間にして、押え片８１，８１を付勢する方向が反対方向となるように配置されている。
【００４７】
ここで、押え片８１は略直方体状であって、図２５（ｂ）に示すように、端子板８０の側片８０ａと対向する面には複数の鋸歯８１ｂが形成され、ボディ１０の底面と対向する面には電線１１０の挿入方向において端子板８０の側片８０ａに近付く向きに傾斜するテーパ面８１ａが形成されている。
【００４８】
また、回転釦８４は、図２６（ａ）（ｂ）に示すように、円柱状の本体８４ａと、前面が略矩形状であって、長手方向の寸法が本体８４ａの外径よりも大きい寸法に形成されるとともに、短幅方向の寸法が本体８４ａの外径よりも小さい寸法に形成され、本体８４ａの前面側に突設された押圧部８４ｂと、本体８４ａの後面側に連続一体に突設された細径の操作部８４ｃとで構成され、操作部８４ｃの後端面にはマイナスドライバーなどの工具の先端が挿入される凹溝８４ｄが形成されている。そして、回転釦８４は、ボディ１０の底面に形成した貫通孔１６’に操作部８４ｃを臨ませた状態で、ボディ１０内に回転自在に取り付けられる。
【００４９】
ここで、図２３（ａ）及び図２６（ａ）に示すように、押圧部８４ｂの長手方向がコイルばね８２の撓み方向と略直交するように回転釦８４を回転させた状態では、押圧部８４ｂが支持板８３，８３と当接しておらず、そのためコイルばね８２の初期撓みが小さくなっている。
【００５０】
この時、ボディ１０の底面に設けた電線挿入口１５から電線１１０の被覆が剥かれた芯線１１１を挿入すると、芯線１１１が押え片８１に設けたテーパ面８１ａを押圧することによって、押え片８１がコイルばね８２のばね力に抗して側片８０ａから遠ざかる方向へ移動し、電線１１０の芯線１１１が側片８０ａと押え片８１との間に挿入される（図２３（ｂ）参照）。
【００５１】
この状態から、図２３（ｃ）及び図２６（ｃ）に示すように回転釦８４を左回りに９０度回転させると、押圧部８４ｂの長手方向の両端部が支持板８３を押圧して、支持板８３を押え片８１側に移動させるので、コイルばね８２の撓み量が大きくなって、電線１１０の芯線１１１を保持する力が増大し、芯線１１１の抜け止めがなされる。
【００５２】
ここで、端子板８０の側片８０ａと対向する押え片８１の面には電線挿入方向に沿って複数の鋸歯８１ｂが形成されており（図２５（ｂ）参照）、複数の鋸歯８１ｂが電線１１０の芯線１１１と接触することによて、押え片８１と電線１１０の芯線１１１との間に生じる摩擦力が増大し、電線の保持力を高めることができる。また、ボディ１０の底面には回転釦８４の回動範囲を規制する規制リブ１０ｃが突設されており、電線１１０の芯線１１１を保持する位置まで回転釦８４を回転させると、回転釦８４の押圧部８４ｂが規制リブ１０ｃに当接して、それ以上回転しないようになっている。尚、図２５（ａ）に示すように、支持板８３の下部には切欠８３ａが設けられ、規制リブ１０ｃと干渉しないようになっている。また、支持板８３には回転釦８４との対向面の下部に、回転釦８４の本体８４ａが入り込む逃がし部８３ｂを形成してある。
【００５３】
一方、端子装置から電線を外す際には、図２３（ｃ）の状態から回転釦８４を右回りに９０度回転させると、押圧部８４ｂの長手方向がコイルばね８２の撓み方向と略直交する位置まで移動し、押圧部８４ｂが支持板８３と当接しなくなって、コイルばね８２の初期撓みが小さくなり、電線を保持する力が小さくなるので、電線１１０の芯線１１１を容易に引き抜くことができる。
【００５４】
尚、本基本形態ではコイルばね８２，８２の間に支持板８３，８３を介して回転釦８４を配置しており、回転釦８４をコイルばね８２の撓み量を大きくする位置と、撓み量を小さくする位置との間で回転自在としているが、解除部材を上記のものに限定する趣旨のものではなく、コイルばね８２，８２の撓み量を小さくして電線の接続状態を解除する位置と、コイルばね８２，８２の撓み量を大きくして電線を保持する位置との間で移動自在となっていれば、どのような構成のものでも良い。
【００５８】
【発明の効果】
上述のように、請求項１の発明は、端子板と、前記端子板との間に挿入される電線により撓められて前記電線をそれぞれ弾性保持する一対の弾性部材と、前記一対の弾性部材を電線の接続状態を解除する方向に同時に撓ませるための解除部材とを備え、電線を接続する際に前記一対の弾性部材が同一平面内で撓むように前記一対の弾性部材を並べて配置し、前記各弾性部材は、前記端子板に対して揺動自在に取り付けられ揺動方向における一端部と前記端子板との間で電線を挟持する押え片と、前記押え片の揺動方向における一端部を前記端子板に近付く向きに付勢する付勢手段とで構成され、前記各押え片は揺動方向における他端部が隣り合うようにして一列に配置されており、前記解除部材には、前記各押え片の他端部が入り込む凹所が形成され、前記解除部材は、解除操作時に前記各押え片の他端部を前記端子板に近付く向きに押圧することによって、前記各押え片の一端部が前記端子板から離れる方向へ、前記各押え片を揺動させることを特徴とし、一対の弾性部材は電線を接続する際に同一平面内で撓むように並べて配置されているので、一対の弾性部材を撓み方向と直交する方向に並べた場合に比べて長さ寸法は長くなるものの厚み寸法を薄くすることができ、端子装置の薄型化を図ることができるという効果がある。
【図面の簡単な説明】
【図１】  基本形態１の端子装置をコンセントのボディに組み込んだ状態を示す要部拡大斜視図である。
【図２】同上の端子装置を組み込んだコンセントを示し、（ａ）は正面図、（ｂ）は上面図である。
【図３】同上のカバーを外した状態を示し、（ａ）は正面図、（ｂ）は側面図である。
【図４】同上に用いるボディを示し、（ａ）は正面図、（ｂ）は右側面図、（ｃ）は左側から見た断面図、（ｄ）は下面図である。
【図５】同上に用いるボディの背面図である。
【図６】同上に用いるボディの下側から見た断面図である。
【図７】同上に用いるカバーを示し、（ａ）は正面図、（ｂ）は右側面図、（ｃ）は下面図である。
【図８】同上に用いるカバーの右側から見た断面図である。
【図９】同上に用いるカバーの背面図である。
【図１０】同上に用いる化粧プレートを示し、（ａ）は上面図、（ｂ）は上側から見た断面図、（ｃ）は背面図である。
【図１１】同上に用いる端子板を示し、（ａ）は正面図、（ｂ）は下面図である。
【図１２】同上に用いる別の端子板を示し、（ａ）は正面図、（ｂ）は下面図である。
【図１３】同上に用いる刃受ばねを示し、（ａ）は正面図、（ｂ）は下面図である。
【図１４】同上に用いる接地部材を示し、（ａ）は正面図、（ｂ）は下面図、（ｃ）は側面図である。
【図１５】同上に用いる刃受部材を示し、（ａ）は正面図、（ｂ）は左側面図、（ｃ）は右側面図、（ｄ）は上面図である。
【図１６】同上に用いる解除釦を示し、（ａ）は正面図、（ｂ）は下面図、（ｃ）は上面図、（ｄ）は右側面図である。
【図１７】  実施形態の端子装置をボディに組み込んだ状態を示し、（ａ）は解除釦を押圧していない状態の説明図、（ｂ）は解除釦を押し込んだ状態の説明図である。
【図１８】同上の要部拡大斜視図である。
【図１９】同上に用いる解除釦の斜視図である。
【図２０】同上の電線接続状態の説明図である。
【図２１】同上の端子装置をボディに組み込んだ状態の斜視図である。
【図２２】（ａ）（ｂ）は同上をボディに組み込んだ状態の外観斜視図である。
【図２３】  （ａ）〜（ｃ）は基本形態２の端子装置をボディに組み込んだ状態の説明図である。
【図２４】同上の電線接続状態の説明図である。
【図２５】（ａ）は同上に用いる押え板の斜視図、（ｂ）は同上に用いる端子片の斜視図である。
【図２６】（ａ）〜（ｃ）は同上の要部斜視図である。
【図２７】同上をボディに組み込んだ状態を裏面側から見た斜視図である。
【図２８】従来の端子装置を配線器具のボディに組み込んだ状態を正面から見た図である。
【図２９】同上の要部断面図である。
【図３０】同上の要部斜視図である。
【符号の説明】
Ａ  端子装置
３６ａ  端子板ブロック
３７  端子片
３８  当接片
６０  鎖錠ばね
６１  中央片
６２  鎖錠片
６３  接触片
６５  解除釦
６６  押圧突起
【図１】
0003991664.tif 000002
【図２】
0003991664.tif 000003
【図３】
0003991664.tif 000004
【図４】
0003991664.tif 000005
【図５】
0003991664.tif 000006
【図６】
0003991664.tif 000007
【図７】
0003991664.tif 000008
【図８】
0003991664.tif 000009
【図９】
0003991664.tif 000010
【図１０】
0003991664.tif 000011
【図１１】
0003991664.tif 000012
【図１２】
0003991664.tif 000013
【図１３】
0003991664.tif 000014
【図１４】
0003991664.tif 000015
【図１５】
0003991664.tif 000016
【図１６】
0003991664.tif 000017
【図１７】
0003991664.tif 000018
【図１８】
0003991664.tif 000019
【図１９】
0003991664.tif 000020
【図２０】
0003991664.tif 000021
【図２１】
0003991664.tif 000022
【図２２】
0003991664.tif 000023
【図２３】
0003991664.tif 000024
【図２４】
0003991664.tif 000025
【図２５】
0003991664.tif 000026
【図２６】
0003991664.tif 000027
【図２７】
0003991664.tif 000028
【図２８】
0003991664.tif 000029
【図２９】
0003991664.tif 000030
【図３０】
0003991664.tif 000031